(57)【特許請求の範囲】
【請求項１】
端末装置に用いられている配車予約方法であって、
前記端末装置が、ユーザの出発地及び出発時間を特定するステップと、
前記端末装置が、生活習慣情報及び外出プラン情報のうちの少なくとも一種と、前記出発地と、前記出発時間に基づき、ユーザの配車予約の要否を特定するステップと、
前記ユーザが配車予約を要すると特定した場合、前記端末装置が、配車予約注文書を作成して出力するステップと、を含み、
前記端末装置が、ユーザの出発地及び出発時間を特定するステップは、
前記端末装置が、前記ユーザの位置変化情報を検出するステップと、
前記端末装置が、前記ユーザの位置変化情報に基づき、未出発状態及び交通機関に乗る状態を含む前記ユーザの状態を特定するステップと、
前記ユーザが未出発状態にある場合、前記端末装置が、前記ユーザが現在いる位置を前記出発地として特定するステップと、
前記ユーザが交通機関に乗る状態にある場合、前記端末装置が、前記交通機関の終点を前記出発地として特定するステップと、を含む
ことを特徴とする配車予約方法。
【請求項２】
前記端末装置が、前記生活習慣情報及び外出プラン情報のうちの少なくとも一種に基づき、ユーザの配車予約の要否を特定するステップは、
前記端末装置が、ユーザの、前記ユーザが所定周期における同一の時間帯に数回出る場所及び時間を含む生活習慣情報、及び、前記ユーザの出る予定の場所及び時間を含む外出プラン情報のうちの少なくとも一種を取得するステップと、
前記端末装置が、前記ユーザの生活習慣情報及び外出プラン情報のうちの少なくとも一種に基づき、前記生活習慣情報または前記外出プラン情報に応じる前記ユーザの次の出る場所、及び前記ユーザが前記次の出る場所に到達する時間を特定し、前記ユーザの次の出る場所及び前記ユーザが前記次の出る場所に到達する時間を、それぞれ目的地及び目的時間として特定するステップと、
前記端末装置が、特定された前記目的地及び前記目的時間に基づき前記ユーザの配車予約の要否を特定するステップと、を含む
ことを特徴とする請求項１に記載の方法。
【請求項３】
前記端末装置が、前記ユーザの生活習慣情報及び外出プラン情報のうちの少なくとも一種を取得するステップは、
前記端末装置が、本機のデバイスのメモリまたはサーバから前記ユーザの生活習慣情報を取得するステップと、
前記端末装置が、前記本機のデバイスのスケジュール、メモ、及びアラーム、または、前記サーバから前記ユーザの外出プラン情報を取得するステップと、を含む
ことを特徴とする請求項２に記載の方法。
【請求項４】
前記端末装置が、前記特定された前記目的地及び前記目的時間に基づき前記ユーザの配車予約の要否を特定するステップは、
前記端末装置が、前記出発時間と前記目的時間との間に前記ユーザが公共交通機関または歩行によって前記目的地に到達できるか否かを判定するステップと、
前記出発時間と前記目的時間との間に前記ユーザが公共交通機関または歩行によって前記目的地に到達できない判定した場合、前記端末装置が、前記ユーザが配車予約を要すると特定するステップと、を含む
ことを特徴とする請求項２に記載の方法。
【請求項５】
前記端末装置が、前記出発地及び出発時間を特定するステップは、
前記ユーザが現在交通機関に乗る状態にある場合、前記端末装置が、前記交通機関が終点に到達する時間を前記出発時間として特定するステップと、
前記ユーザが未出発状態にある場合、前記端末装置が、現在時間を前記出発時間として特定する、または、現在時間に前記ユーザの出発に要する時間長を加えてなる時間を前記出発時間として特定するステップと、を含む
ことを特徴とする請求項１に記載の方法。
【請求項６】
前記端末装置が、前記出発時間と前記目的時間との間に前記ユーザが公共交通機関または歩行によって前記目的地に到達できるか否かを判定するステップは、
前記端末装置が、オフライン地図またはネットワーク地図にて公共交通機関または歩行によって目的地に到達する時間長を検索するステップと、
前記時間長が前記出発時間と前記目的時間との差より大きい場合、前記端末装置が、前記出発時間と前記目的時間との間に前記ユーザが公共交通機関または歩行によって前記目的地に到達できないと判定するステップと、を含む
ことを特徴とする請求項４に記載の方法。
【請求項７】
前記配車予約注文書は出発地と目的地を含む、ことを特徴とする請求項１に記載の方法。
【請求項８】
前記配車予約注文書は更に出発時間を含む、ことを特徴とする請求項７に記載の方法。
【請求項９】
前記方法はさらに、
前記端末装置が、所定場所及び前記ユーザが前記所定場所に到達する時間を含む前記生活習慣情報を生成するステップを、含む
ことを特徴とする請求項１〜８のいずれか１項に記載の方法。
【請求項１０】
前記端末装置が、前記ユーザの生活習慣情報を生成するステップは、
前記端末装置が、前記ユーザが所定周期における同一の時間帯に数回出る場所を記録するとともに、前記所定場所として記録するステップと、
前記端末装置が、前記ユーザが前記所定場所に到達する時間を記録するステップと、を含む
ことを特徴とする請求項９に記載の方法。
【請求項１１】
前記端末装置が、配車予約注文書を作成して出力するステップは、
前記端末装置が、ユーザが選択するための、注文書特定オプション、注文書補正オプション、及び注文書キャンセルオプションを含む配車予約注文書オプションを出力するステップを含む
ことを特徴とする請求項１〜８のいずれか１項に記載の方法。
【請求項１２】
前記方法は、更に、
前記ユーザからの操作選択を取得するステップと、
前記ユーザからの操作選択が注文書特定オプションである場合、前記端末装置が、前記配車予約注文書を送信するステップと、
前記ユーザからの操作選択が注文書補正オプションである場合、前記端末装置が、前記ユーザが注文書補正オプションによって改めて入力した出発地、目的地、または、出発時間を受信するステップと、
前記ユーザからの操作選択が注文書キャンセルオプションである場合、前記端末装置が、前記配車予約注文書をキャンセルするステップと、を含む
ことを特徴とする請求項１１に記載の方法。
【請求項１３】
前記方法は更に、
前記端末装置が、過去に生成した配車予約注文書に対する前記ユーザの操作に応じて生成した情報である前記ユーザの操作習慣情報を取得するステップと、
前記端末装置が、前記ユーザの操作習慣情報に基づき、前記配車予約注文書を処理するステップと、を含む
ことを特徴とする請求項１〜８のいずれか１項に記載の方法。
【請求項１４】
ユーザの出発地及び出発時間を特定して、生活習慣情報及び外出プラン情報のうちの少なくとも一種と、前記出発地と、前記出発時間に基づき、ユーザの配車予約の要否を特定するための特定モジュールと、
前記ユーザが配車予約を要すると特定した場合、配車予約注文書を作成して出力するための出力モジュールと、を含み、
前記特定モジュールは、
前記ユーザの位置変化情報を検出し、
前記ユーザの位置変化情報に基づき、未出発状態及び交通機関に乗る状態を含む前記ユーザの状態を特定し、
前記ユーザが未出発状態にある場合、前記ユーザが現在いる位置を前記出発地として特定し、
前記ユーザが交通機関に乗る状態にある場合、前記交通機関の終点を前記出発地として特定するために用いられる
ことを特徴とする配車予約装置。
【請求項１５】
前記特定モジュールは、
ユーザの、所定周期における同一の時間帯に数回出る場所及び時間を含む生活習慣情報、及び、前記ユーザの出る予定の場所及び時間を含む外出プラン情報のうちの少なくとも一種を取得するための取得サブモジュールと、
前記ユーザの生活習慣情報及び外出プラン情報のうちの少なくとも一種に基づき、前記生活習慣情報または前記外出プラン情報に応じる前記ユーザの次の出る場所、及び前記ユーザが前記次の出る場所に到達する時間を特定し、前記ユーザの次の出る場所及び前記ユーザが前記次の出る場所に到達する時間をそれぞれ目的地及び目的時間として特定するための第１の特定サブモジュールと、
特定された前記目的地及び前記目的時間に基づき前記ユーザの配車予約の要否を特定するための第２の特定サブモジュールと、を含む
ことを特徴とする請求項１４に記載の装置。
【請求項１６】
前記取得サブモジュールは、
本機のデバイスのメモリ、または、サーバから前記ユーザの生活習慣情報を取得し、
前記本機のデバイスのスケジュール、メモ、及びアラーム、または、前記サーバから前記ユーザの外出プラン情報を取得する、ために用いられる
ことを特徴とする請求項１５に記載の装置。
【請求項１７】
前記第２の特定サブモジュールは、
前記出発時間と前記目的時間との間に前記ユーザが公共交通機関または歩行によって前記目的地に到達できるか否かを判定し、
前記出発時間と前記目的時間との間に前記ユーザが公共交通機関または歩行によって前記目的地に到達できないと判定した場合、前記ユーザが配車予約を要すると特定する、ために用いられる
ことを特徴とする請求項１５に記載の装置。
【請求項１８】
前記特定モジュールはさらに、
前記ユーザが現在交通機関に乗る状態にある場合、前記交通機関が終点に到達する時間を前記出発時間として特定し、
前記ユーザが未出発状態にある場合、現在時間を前記出発時間として特定する、または、現在時間に前記ユーザの出発に要する時間長を加えてなる時間を前記出発時間として特定する、ために用いられる
ことを特徴とする請求項１４に記載の装置。
【請求項１９】
前記第２の特定サブモジュールは、
オフライン地図またはネットワーク地図にて公共交通機関または歩行によって目的地に到達する時間長を検索し、
前記時間長が前記出発時間と前記目的時間との差より大きい場合、前記出発時間と前記目的時間との間に前記ユーザが公共交通機関または歩行によって前記目的地に到達できないと判定する、ために用いられる
ことを特徴とする請求項１７に記載の装置。
【請求項２０】
前記配車予約注文書は出発地と目的地を含む、ことを特徴とする請求項１４に記載の装置。
【請求項２１】
前記配車予約注文書は更に出発時間を含む、ことを特徴とする請求項２０に記載の装置。
【請求項２２】
前記装置はさらに、
所定場所及び前記ユーザが前記所定場所に到達する時間を含む前記生活習慣情報を生成するための生成モジュール含む
ことを特徴とする請求項１４〜２１のいずれか１項に記載の装置。
【請求項２３】
前記生成モジュールは、
前記ユーザが所定周期における同一の時間帯に数回出る場所を記録するとともに、前記所定場所として記録するための第１の記録サブモジュールと、
前記ユーザが前記所定場所に到達する時間を記録するための第２の記録サブモジュールと、を含む
ことを特徴とする請求項２２に記載の装置。
【請求項２４】
前記出力モジュールは、
ユーザが選択するための、注文書特定オプション、注文書補正オプション、及び注文書キャンセルオプションを含む配車予約注文書オプションを出力するために用いられる
ことを特徴とする請求項１４〜２１のいずれか１項に記載の装置。
【請求項２５】
前記装置はさらに、
前記ユーザからの操作選択を取得するための取得モジュールと、
前記ユーザからの操作選択が注文書特定オプションである場合、前記配車予約注文書を送信し、前記ユーザからの操作選択が注文書補正オプションである場合、前記ユーザが注文書補正オプションによって改めて入力した出発地、目的地、または、出発時間を受信し、前記ユーザからの操作選択が注文書キャンセルオプションである場合、前記配車予約注文書をキャンセルするための処理モジュールと、を含む
ことを特徴とする請求項２４に記載の装置。
【請求項２６】
前記装置はさらに、
過去に生成した配車予約注文書に対する前記ユーザの操作に応じて生成した情報である前記ユーザの操作習慣情報を取得するための取得モジュールと、
前記ユーザの操作習慣情報に基づき、前記配車予約注文書を直接的に処理するための処理モジュールと、を含む
ことを特徴とする請求項１４〜２１のいずれか１項に記載の装置。
【請求項２７】
プロセッサと、
プロセッサにより実行可能な指令を記憶するためのメモリと、を含み、
前記プロセッサは、
ユーザの出発地及び出発時間を特定して、生活習慣情報及び外出プラン情報のうちの少なくとも一種と、前記出発地と、前記出発時間に基づき、ユーザが配車予約の要否を特定し、
前記ユーザが配車予約を要すると特定した場合、配車予約注文書を作成して出力し、
ユーザの出発地及び出発時間を特定することは、
前記ユーザの位置変化情報を検出し、
前記ユーザの位置変化情報に基づき、未出発状態及び交通機関に乗る状態を含む前記ユーザの状態を特定し、
前記ユーザが未出発状態にある場合、前記ユーザが現在いる位置を前記出発地として特定し、
前記ユーザが交通機関に乗る状態にある場合、前記交通機関の終点を前記出発地として特定するように構成されている
ことを特徴とする配車予約装置。
【請求項２８】
プロセッサに実行されることにより、請求項１から請求項１３のいずれかに記載の方法を実現することを特徴とするプログラム。
【請求項２９】
請求項２８に記載のプログラムが記録された記録媒体。
【発明の詳細な説明】
【相互参照】
【０００１】
本願は、出願番号がＣＮ２０１５１０７２７０１６．７であって、出願日が２０１５年１０月３０日である中国特許出願に基づき優先権を主張し、該中国特許出願のすべての内容を本願に援用する。
【技術分野】
【０００２】
本発明は通信分野に関し、特に、配車予約方法およびその装置、プログラム及び記録媒体に関する。
【背景技術】
【０００３】
様々な配車予約アプリの急速な発展に従い、ユーザが外出する際に一般的なタクシーを利用できるだけでなく、配車予約アプリによって配車予約を行って外出することもできる。しかしながら、既存の配車予約アプリによる配車予約は、スマート化がまだ不十分であり、そのプロセス全体がユーザの参与を要求し、操作も複雑であり、ユーザの時間をむだにする。
【発明の概要】
【発明が解決しようとする課題】
【０００４】
先行技術に存在している問題を解決するために、本発明は配車予約方法およびその装置、プログラム及び記録媒体を提供する。
【課題を解決するための手段】
【０００５】
本発明の実施例の第１の局面によれば、配車予約方法を提供し、前記方法は、
生活習慣情報及び外出プラン情報のうちの少なくとも一種に基づき、ユーザの配車予約の要否を特定するステップと、
前記ユーザが配車予約を要すると特定した場合、配車予約注文書を作成して出力するステップと、を含む。
【０００６】
本発明第１の局面の一実施形態によれば、前記生活習慣情報及び外出プラン情報のうちの少なくとも一種に基づき、ユーザの配車予約の要否を特定するステップは、
ユーザの、前記ユーザが所定周期における同一の時間帯に数回出る場所及び時間を含む生活習慣情報、及び、前記ユーザの出る予定の場所及び時間を含む外出プラン情報のうちの少なくとも一種を取得するステップと、
前記ユーザの生活習慣情報及び外出プラン情報のうちの少なくとも一種に基づき、前記生活習慣情報または前記外出プラン情報に応じる前記ユーザの次の出る場所、及び前記ユーザが前記次の出る場所に到達する時間を特定し、前記ユーザの次の出る場所及び前記ユーザが前記次の出る場所に到達する時間を、それぞれ目的地及び目的時間として特定するステップと、
特定された前記目的地及び前記目的時間に基づき前記ユーザの配車予約の要否を特定するステップと、を含む。
【０００７】
該実施形態において、ユーザの生活習慣と外出プランに基づきユーザが次に行こうとする場所を特定し、ユーザが行こうとする場所及び時間に基づきユーザが配車予約をして行く必要があるか否かを特定し、過程全体がバックグラウンドで行われ、ユーザの参与を必要としない。
【０００８】
本発明の第１の局面の他の実施形態によれば、前記ユーザの生活習慣情報及び外出プラン情報のうちの少なくとも一種を取得するステップは、
本機のデバイスのメモリまたはサーバから前記ユーザの生活習慣情報を取得するステップと、
前記本機のデバイスのスケジュール、メモ、及びアラーム、または、前記サーバから前記ユーザの外出プラン情報を取得するステップと、を含む。
【０００９】
該実施形態において、ユーザの生活習慣と外出プランはローカル側から取得され得るし、ネットワーク側から取得され得る。同時に、外出プラン情報は具体的にはスケジュール、メモ、及びアラームから取得されることにより、該方案は既存のソフトウェアと互いに組み合わせて、その利用をより便利にすることができる。
【００１０】
本発明の第１の局面の他の実施形態によれば、前記特定された前記目的地及び前記目的時間に基づき前記ユーザの配車予約の要否を特定するステップは、
出発地及び出発時間を特定するステップと、
前記出発時間と前記目的時間との間に前記ユーザが公共交通機関または歩行によって前記目的地に到達できるか否かを判定するステップと、
前記出発時間と前記目的時間との間に前記ユーザが公共交通機関または歩行によって前記目的地に到達できない判定した場合、前記ユーザが配車予約を要すると特定するステップと、を含む。
【００１１】
本発明の第１の局面の他の実施形態によれば、出発地及び出発時間を特定するステップは、
前記ユーザの位置変化情報を検出するステップと、
前記ユーザの位置変化情報に基づき、未出発状態及び交通機関に乗る状態を含む前記ユーザの状態を特定するステップと、
前記ユーザが未出発状態にある場合、前記ユーザが現在いる位置を前記出発地として特定するステップと、
前記ユーザが交通機関に乗る状態にある場合、前記交通機関の終点を前記出発地として特定するステップと、を含む。
【００１２】
該実施形態において、ユーザ現在の位置変化情報に基づき出発地及び出発時間を特定することによって、ユーザが静止するときの出発地を特定できるだけでなく、現在ユーザが汽車、飛行機等に乗っているシーンの出発地を特定することもできる。
【００１３】
本発明の第１の局面の他の実施形態によれば、前記出発地及び出発時間を特定するステップは、
前記ユーザが現在交通機関に乗る状態にある場合、前記交通機関が終点に到達する時間を前記出発時間として特定するステップと、
前記ユーザが未出発状態にある場合、前記現在時間を前記出発時間として特定する、または、現在時間に前記ユーザの出発に要する時間長を加えてなる時間を前記出発時間として特定するステップと、を含む。
【００１４】
該実施形態において、ユーザの異なる状態に基づき、ユーザの出発時間を特定し、その特定結果がより確実である。
【００１５】
本発明の第１の局面の他の実施形態によれば、前記出発時間と前記目的時間との間に前記ユーザが公共交通機関または歩行によって前記目的地に到達できるか否かを判定するステップは、
オフライン地図またはネットワーク地図にて公共交通機関または歩行によって目的地に到達する時間長を検索するステップと、
前記時間長が前記出発時間と前記目的時間との差より大きい場合、前記出発時間と前記目的時間との間に前記ユーザが公共交通機関または歩行によって前記目的地に到達できないと判定するステップと、を含む。
【００１６】
本発明の第１の局面の他の実施形態によれば、前記配車予約注文書は出発地と目的地を含む。
【００１７】
本発明の第１の局面の他の実施形態によれば、前記配車予約注文書は更に出発時間を含む。
【００１８】
該実施形態において、出発時間を提出することにより、端末装置は出発時間に基づき発注時間を選択することができ、ユーザの時間通りの出発を保証することができる。
【００１９】
本発明の第１の局面の他の実施形態によれば、前記方法はさらに、
所定場所及び前記ユーザが前記所定場所に到達する時間を含む前記ユーザの生活習慣情報を生成するステップを、含む。
【００２０】
本発明の第１の局面の他の実施形態によれば、前記ユーザの生活習慣情報を生成するステップは、
前記ユーザが所定周期における同一の時間帯に数回出る場所を記録（特定）するとともに、前記所定場所として記録するステップと、
前記ユーザが前記所定場所に到達する時間を記録するステップと、を含む。
【００２１】
上記実施形態において、ユーザの生活習慣情報を生成することにより、端末装置が該生活習慣情報に基づきユーザのために直ちに配車予約を行うことを保証することができる。
【００２２】
本発明の第１の局面の他の実施形態によれば、配車予約注文書を作成して出力するステップは、
ユーザが選択するための、注文書特定オプション、注文書補正オプション、及び注文書キャンセルオプションを含む配車予約注文書オプションを出力するステップを含む。
【００２３】
本発明の第１の局面の他の実施形態によれば、前記方法は更に、
前記ユーザからの操作選択を取得するステップと、
前記ユーザからの操作選択が注文書特定オプションである場合、前記配車予約注文書を送信し、前記ユーザからの操作選択が注文書補正オプションである場合、前記ユーザが注文書補正オプションによって改めて入力した出発地、目的地、または、出発時間を受信し、前記ユーザからの操作選択が注文書キャンセルオプションである場合、前記配車予約注文書をキャンセルするステップと、を含む。
【００２４】
本発明の第１の局面の他の実施形態によれば、前記方法は更に、
その前に生成した配車予約注文書に対する前記ユーザの操作に応じて生成した情報である前記ユーザの操作習慣情報を取得するステップと、
前記ユーザの操作習慣情報に基づき、前記配車予約注文書を処理するステップと、を含む。
【００２５】
本発明の実施例の第２の局面によれば、配車予約装置を提供し、前記装置は、
生活習慣情報及び外出プラン情報のうちの少なくとも一種に基づき、ユーザの配車予約の要否を特定するための特定モジュールと、
前記ユーザが配車予約を要すると特定した場合、配車予約注文書を作成して出力するための出力モジュールと、を含む。
【００２６】
本発明の第２の局面の一実施形態によれば、前記特定モジュールは、
ユーザの、所定周期における同一の時間帯に数回出る場所及び時間を含む生活習慣情報、及び、前記ユーザの出る予定の場所及び時間を含む外出プラン情報のうちの少なくとも一種を取得するための取得サブモジュールと、
前記ユーザの生活習慣情報及び外出プラン情報のうちの少なくとも一種に基づき、前記生活習慣情報または前記外出プラン情報に応じる前記ユーザの次の出る場所、及び前記ユーザが前記次の出る場所に到達する時間を特定し、前記ユーザの次の出る場所及び前記ユーザが前記次の出る場所に到達する時間をそれぞれ目的地及び目的時間として特定するための第１の特定サブモジュールと、
特定された前記目的地及び前記目的時間に基づき前記ユーザの配車予約の要否を特定するための第２の特定サブモジュールと、を含む。
【００２７】
本発明の第２の局面の他の実施形態によれば、前記取得サブモジュールは、
本機のデバイスのメモリ、または、サーバから前記ユーザの生活習慣情報を取得し、
前記本機のデバイスのスケジュール、メモ、及びアラーム、または、前記サーバから前記ユーザの外出プラン情報を取得する、ために用いられる。
【００２８】
本発明の第２の局面の他の実施形態によれば、前記第２の特定サブモジュールは、
出発地及び出発時間を特定し、
前記出発時間と前記目的時間との間に前記ユーザが公共交通機関または歩行によって前記目的地に到達できるか否かを判定し、
前記出発時間と前記目的時間との間に前記ユーザが公共交通機関または歩行によって前記目的地に到達できないと判定した場合、前記ユーザが配車予約を要すると特定する、ために用いられる。
【００２９】
本発明の第２の局面の他の実施形態によれば、前記第２の特定サブモジュールは、
前記ユーザの位置変化情報を検出し、
前記ユーザの位置変化情報に基づき、未出発状態及交通機関に乗る状態を含む前記ユーザの状態を特定し、
前記ユーザが未出発状態にある場合、前記ユーザが現在いる位置を前記出発地として特定し、
前記ユーザが交通機関に乗る状態にある場合、前記交通機関の終点を前記出発地として特定するために用いられる。
【００３０】
本発明の第２の局面の他の実施形態によれば、前記第２の特定サブモジュールはさらに、
前記ユーザが現在交通機関に乗る状態にある場合、前記交通機関が終点に到達する時間を前記出発時間として特定し、
前記ユーザが未出発状態にある場合、前記現在時間を前記出発時間として特定する、または、現在時間に前記ユーザの出発に要する時間長を加えてなる時間を前記出発時間として特定する、ために用いられる。
【００３１】
本発明の第２の局面の他の実施形態によれば、前記第２の特定サブモジュールは、
オフライン地図またはネットワーク地図にて公共交通機関または歩行によって目的地に到達する時間長を検索（演算）し、
前記時間長が前記出発時間と前記目的時間との差より大きい場合、前記出発時間と前記目的時間との間に前記ユーザが公共交通機関または歩行によって前記目的地に到達できないと判定する、ために用いられる。
【００３２】
本発明の第２の局面の他の実施形態によれば、前記配車予約注文書は出発地と目的地を含む。
【００３３】
本発明の第２の局面の他の実施形態によれば、前記配車予約注文書は更に出発時間を含む。
【００３４】
本発明の第２の局面の他の実施形態によれば、前記装置はさらに、
所定場所及び前記ユーザが前記所定場所に到達する時間を含む前記ユーザの生活習慣情報を生成するための生成モジュール含む。
【００３５】
本発明の第２の局面の他の実施形態によれば、前記生成モジュールは、
前記ユーザが所定周期における同一の時間帯に数回出る場所を記録（特定）するとともに、前記所定場所として記録するための第１の記録サブモジュールと、
前記ユーザが前記所定場所に到達する時間を記録するための第２の記録サブモジュールと、を含む。
【００３６】
本発明の第２の局面の他の実施形態によれば、前記出力モジュールは、
ユーザが選択するための、注文書特定オプション、注文書補正オプション、及び注文書キャンセルオプションを含む配車予約注文書オプションを出力するために用いられる。
【００３７】
本発明の第２の局面の他の実施形態によれば、前記装置はさらに、
前記ユーザからの操作選択を取得するための取得モジュールと、
前記ユーザからの操作選択が注文書特定オプションである場合、前記配車予約注文書を送信し、前記ユーザからの操作選択が注文書補正オプションである場合、前記ユーザが注文書補正オプションによって改めて入力した出発地、目的地、または、出発時間を受信し、前記ユーザからの操作選択が注文書キャンセルオプションである場合、前記配車予約注文書をキャンセルするための処理モジュールと、を含む。
【００３８】
本発明の第２の局面の他の実施形態によれば、前記装置はさらに、
その前に生成した配車予約注文書に対する前記ユーザの操作に応じて生成した情報である前記ユーザの操作習慣情報を取得するための取得モジュールと、
前記ユーザの操作習慣情報に基づき、前記配車予約注文書を直接的に処理するための処理モジュールと、を含む。
【００３９】
本発明の実施例の第３の局面によれば、配車予約装置を提供し、前記装置は、
プロセッサと、
プロセッサにより実行可能な指令を記憶するためのメモリと、を含み、
前記プロセッサは、
生活習慣情報及び外出プラン情報のうちの少なくとも一種に基づき、ユーザが配車予約の要否を特定し、
前記ユーザが配車予約を要すると特定した場合、配車予約注文書を作成して出力する。
【００４０】
本発明のその他の態様は、
プロセッサに実行されることにより、前記方法を実現することを特徴とするプログラムを提供する。
【００４１】
本発明のその他の態様は、
前記プログラムが記録された記録媒体を提供する。
【００４２】
本発明の実施例に係る技術案は、以下の有益な効果を有する。
【００４３】
本発明において、ユーザが配車予約を要すると特定した場合、端末装置は、配車予約注文書を自動的に作成して出力するので、配車予約サービスを即時に実行し、ユーザの外出ストロークに乗り遅れることを回避することができる一方、該過程はユーザの参与を必要としないので、ユーザの操作を少なくするだけでなく、ユーザの時間も省く。
【００４４】
以上の一般的な記述及び以下の詳細な記述は、例示のものに過ぎず、本開示を限定するものではないと理解すべきである。
【図面の簡単な説明】
【００４５】
ここでの図面は、本明細書の一部として、本発明に適切な実施例を示し、明細書と合わせて本発明の原理を解釈する。
【図１】例示的な実施例における応用シーンを示す図である。
【図２】例示的な実施例における配車予約方法を示すフローチャートである。
【図３】例示的な実施例における配車予約方法を示すフローチャートである。
【図４】例示的な実施例における配車予約装置を示すブロック図である。
【図５】例示的な実施例における配車予約装置を示すブロック図である。
【図６】例示的な実施例における配車予約装置を示すブロック図である。
【発明を実施するための形態】
【００４６】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００４７】
以下、実施例の記載のため、本発明における実施例の応用シーンを簡単に紹介する。図１を参照して、該シーンは配車予約アプリ、スケジュール、メモ及びアラームなどのソフトウェアがインストールされている端末装置１を含む。ユーザは、配車予約アプリによって配車予約サービスを利用することができ、スケジュール、メモ及びアラーム等のソフトウェアに自分の外出プランを記録することもできる。
【００４８】
ここで、端末装置１はスマートフォン、スマートウォッチ、または、タブレットＰＣを含むがこれらに限定されないものである。配車予約アプリはＤｉｄｉ  Ｄａｃｈｅ（▲滴▼▲滴▼打車）（登録商標）やウーバー（登録商標）などであり得る。
【００４９】
ここに、次のことを説明しておく。前記デバイスの種類及び数は列挙されるものだけであり、本発明はこれを限定するものではない。
【００５０】
図２は例示的な実施例における配車予約方法を示すフローチャートである。図２を参照して、該方法は前記応用シーンにおける端末装置により実行され、下記のステップを含む。
【００５１】
ステップＳ１１において、生活習慣情報及び外出プラン情報のうちの少なくとも一種に基づき、ユーザの配車予約の要否を特定する。
【００５２】
即ち、端末装置は、ユーザよく行く場所と到達時間、及びユーザの行く予定がある場所と時間に基づき、ユーザが上記時間に上記場所に到達しようとする場合、配車予約の要否を特定する。
【００５３】
ステップＳ１２において、ユーザが配車予約を要すると特定した場合、配車予約注文書を作成して出力する。
【００５４】
ステップＳ１１に基づき配車予約を要すると特定した場合、配車予約を利用できるようにユーザに配車予約注文書をプッシュする。
【００５５】
本発明において、ユーザが配車予約を要すると特定した場合、端末装置は、配車予約注文書を自動的に作成して出力するので、配車予約サービスを即時に実行し、ユーザの外出ストロークに乗り遅れることを回避することができる一方、該過程はユーザの参与を必要としないので、ユーザの操作を少なくするだけでなく、ユーザの時間も省く。
【００５６】
図３は例示的な実施例における配車予約方法を示すフローチャートである。図３を参照して、該方法は前記応用シーンにおける端末装置により実行され、下記のステップを含む。
【００５７】
ステップＳ２１において、ユーザの、所定周期における同一の時間帯に数回出る場所及び時間を含む生活習慣情報、及び、行く予定がある場所及び時間を含む外出プラン情報のうちの少なくとも一種を取得する。
【００５８】
ここで、所定周期は、週、月または年等であり得、ユーザにより設定される周期であってもよいし、システムデフォルトの周期であってもよい。時間長はユーザにより設定される長さであってもよいし、システムデフォルトの長さであってもよく、一時間または半時間以内であり得る。
【００５９】
具体的には、生活習慣情報と外出プラン情報は本機のデバイス（つまり、前記端末装置）またはサーバから取得され得る。
【００６０】
本実施例の一実施形態において、ユーザの生活習慣情報及び外出プラン情報を取得するステップは、
本機のデバイスのメモリまたはサーバからユーザの生活習慣情報を取得するステップと、
本機のデバイスのスケジュール、メモ及びアラーム、または、サーバからユーザの外出プラン情報を取得するステップと、を含む。
【００６１】
例えば、ユーザは、一般的に日常生活において自己で注意をするために、次の外出プランを上記ソフトウェアに記録し、一般的には、その具体的な内容が場所及び時間、例えば、１０月２０日１１時に会社の会議を含む。
【００６２】
該実施形態において、ユーザの生活習慣と外出プランはサーバに記憶されることにより、ユーザが異なる端末装置でそれを利用することに役立つことができる。当然のことながら、ユーザの生活習慣と外出プランはローカルに記憶されることにより、該端末装置での利用に役立つこともできる。具体的には、ユーザの外出プランは本機のデバイスのスケジュール、メモ及びアラーム等のソフトウェアに記憶されることにより、該方案を既存のソフトウェアと互いに組み合わせて、その利用をより便利にすることができる。
【００６３】
更に、方法は、
所定場所、及びユーザが所定場所に到達する時間を含むユーザの生活習慣情報を生成するステップを含む。
【００６４】
ここで、所定場所は家、会社、体育館などの場所を含むがこれらに限定されない。
【００６５】
上記実施形態において、ユーザの生活習慣情報を生成することにより、端末装置が該生活習慣情報に基づきユーザに即時に配車予約を行うことを保証する。
【００６６】
本実施例において、ユーザの生活習慣情報を生成するステップは、
ユーザが所定周期における同一の時間帯に数回出る場所を特定するとともに、所定場所として記録するステップと、
ユーザが所定場所に到達する時間を記録するステップと、を含んでおり、
所定場所の座標がＧＰＳセンサにより記録され得る。
【００６７】
上記方法は如何に所定場所と所定場所に到達する時間とを記録するかということを説明しており、具体的には、所定場所の位置及び所定場所に到達する時間を数回記録して平均化してその結果を保存することができる。
【００６８】
更に、ユーザの生活習慣情報はユーザの起床時間及びユーザの家を出発する時間も含み得る。ユーザの起床時間とユーザの家を出発する時間との間の時間長は、ユーザの出発に要する時間長であり、該時間長がユーザの身支度や着衣などのために用いられる。
【００６９】
ここに、次のことを説明しておく。ユーザの生活習慣情報の生成は、ユーザのプライバシーに関わるため、該ステップは、予めユーザに知らせユーザの許可を受けてこそ初めて実行され得る。実行する際に、ユーザが選択するために、モバイル端末のシステム設定メニューにオプションを設定することができる。
【００７０】
更に、ステップＳ２１は、周期的に実行され得る、または、端末装置が移動したり覚醒されたりする時に実行され得る。ステップＳ２１の実行後、端末装置は引き続いて後続のステップを実行する。
【００７１】
ステップＳ２２において、ユーザの生活習慣情報及び外出プラン情報のうちの少なくとも一種に基づき、生活習慣情報または外出プラン情報に応じてユーザが次に出る場所、及びこの場所に到達する時間を特定し、ユーザが次に出る場所とこの場所に到達する時間とをそれぞれ目的地及び目的時間として特定する。
【００７２】
例えば、現在時間が８時であり、ユーザの外出プラン情報における次の出る場所が会社であり、ユーザが次の出る場所に到達する時間が８時３０分であると、会社と８時３０分とをそれぞれ目的地と目的時間として特定する。
【００７３】
ステップＳ２３において、特定された目的地及び目的時間に基づきユーザの配車予約の要否を特定する。
【００７４】
ここで、特定された目的地及び目的時間に基づきユーザの配車予約の要否を特定するステップは、
出発地及び出発時間を特定する第一ステップを含む。
【００７５】
ここで、出発地及び出発時間を特定するステップは、
ユーザの位置変化情報を検出するステップと、
ユーザの位置変化情報に基づき、未出発状態及び交通機関に乗る状態を含むユーザの状態を特定するステップと、
ユーザが未出発状態にある場合、ユーザが現在の位置を出発地と特定するが、ユーザが交通機関に乗る状態にある場合、交通機関の終点を出発地と特定するステップと、を含む。
【００７６】
ここで、ユーザの位置変化情報とは、ユーザの位置が一定の時間帯に変化する状況（具体的には、運動軌跡で表される）を指し、例えば、ユーザが１分間以内にずっととても小さい範囲（例えば、幾つかの平方メートル）で運動すると、ユーザが未出発状態にあると判定し、ユーザの所定時間における運動距離が設定値を超えると（例えば、一分間における運動距離が５００メートルを超える）、交通機関に乗る状態にあると判定することができる。
【００７７】
該実施形態において、ユーザ現在の位置変化情報に基づき出発地及び出発時間を特定することによって、ユーザが静止するときの出発地を特定できるだけでなく、現在ユーザが汽車、飛行機等に乗っているシーンの出発地を特定することもできる。
【００７８】
更に、出発地及び出発時間を特定するステップは、
現在ユーザが交通機関に乗る状態にある場合、交通機関が終点に到達する時間を出発時間として特定するステップと、
ユーザが未出発状態にある場合、現在時間を出発時間として特定する、または、現在時間にユーザの出発に要する時間を加えてなる時間を出発時間として特定するステップと、を含む。
【００７９】
例えば、８時に、端末装置は重力センサによりユーザの起床を検出した（端末装置が長時間覚醒されず、且つ、現在時間が朝である）場合、出発時間＝起床時間８時＋ユーザの出発に要する時間（３０分間）＝８時３０分となる。
【００８０】
更に例えば、ユーザが午後５時に退勤し、端末装置にはユーザの退勤時間、ユーザの退勤して出発するに要する時間（例えば、１０分間）が記録されている場合、ユーザは外出スケジュールがあると、出発地が会社であり出発時間が５時１０分であると特定する。
【００８１】
第二ステップ：出発時間と目的時間との間にユーザが公共交通機関または歩行によって目的地に到達できるか否かを判定する。
【００８２】
上記実施形態において、出発時間と目的時間との間にユーザが公共交通機関または歩行によって目的地に到達できるか否かを判定するステップは、
オフライン地図（本機のデバイスに記憶されている）またはネットワーク地図（ネットワークサーバに記憶されている）を利用して公共交通機関または歩行によって目的地に到達する時間長を検索（演算）するステップと、
時間長が出発時間と目的時間との差より大きい場合、出発時間と目的時間との間にユーザが公共交通機関または歩行によって目的地に到達できないと判定するが、そうでなければ、ユーザが公共交通機関または歩行によって目的地に到達できると判定するステップと、を含む。
【００８３】
第三ステップ：出発時間と目的時間との間にユーザが公共交通機関または歩行によって目的地に到達できないと判定した場合、ユーザが配車予約を要すると特定する。
【００８４】
上記ステップＳ２１〜Ｓ２３において、ユーザの配車予約の要否を特定する。ユーザの生活習慣と外出プランに基づき、ユーザが次に行こうとする場所を特定し、ユーザが行こうとする場所及び時間に基づき、ユーザが配車予約をして行く必要があるか否かを特定し、配車予約を要する場合、ステップＳ２４を実行し、注文書の作成及び出力を完成し、過程全体がバックグラウンドで実行され、ユーザの参与を必要としなく、且つ、ユーザが公共交通機関または歩行によって到達できない場合しか注文書を出力せず、注文書の頻繁な出力の招来するユーザに対する干渉を回避できる。
【００８５】
当然のことながら、他の実施形態において、ユーザが次に行こうとする場所及び時間を取得した後、直ちに注文書を作成することができ、ここに詳しく説明しない。
【００８６】
ステップＳ２４において、ユーザが配車予約を要すると特定した場合、配車予約注文書を作成して出力する。
【００８７】
ここで、配車予約注文書は出発地と目的地を含む。
【００８８】
更に、配車予約注文書は更に出発時間を含む。端末装置は出発時間に基づき、それを繰り上げて発注し、例えば、５分間を繰り上げて発注することができる。
【００８９】
例えば、ユーザの起床後、該配車予約注文書は直ちに作成され、該配車予約注文書の出発時間が端末装置により算出されたユーザの家を出発する時間である。または、ユーザが汽車に乗っている場合、出発時間は汽車が駅に到達する時間であり得る。
【００９０】
該実施形態において、出発時間を提供することにより、端末装置は出発時間に基づき発注時間を選択することができ、ユーザが時間どおりに出発することを保証することができる。
【００９１】
更に、配車予約注文書を作成して出力するステップは、
ユーザが選択するための、注文書特定オプション、注文書補正オプション、及び注文書キャンセルオプションを含む配車予約注文書オプションを出力するステップを含む。これらの配車予約注文書オプションはユーザを助けて発注したり注文書をキャンセルしたりすることができる。
【００９２】
更に、該方法は、
ユーザからの操作選択を取得するステップと、
ユーザからの操作選択が注文書特定オプションである場合、配車予約注文書を送信し、ユーザからの操作選択が注文書補正オプションである場合、ユーザが注文書補正オプションにより改めて入力した出発地、目的地、または出発時間を受信し、ユーザからの操作選択が注文書キャンセルオプションである場合、配車予約注文書をキャンセルするステップと、を含む。
【００９３】
更に、該方法は、
この前に生成した配車予約注文書に対するユーザの操作に応じて生成した情報であり、注文書を処理する際に規律的に操作するようユーザに提示するための、操作習慣情報を取得するステップと、
ユーザの操作習慣情報に基づき、配車予約注文書を処理するステップと、を含む。
【００９４】
配車予約注文書を処理することは、注文書の特定、注文書のキャンセル、または注文書の補正を含む。
【００９５】
例えば、ユーザは月毎に遅刻チャンスが２回あるとすれば、月毎に月初の２朝の家から会社への注文書はユーザによりキャンセルされ得、ユーザの上記操作がユーザの操作習慣情報に記憶される。配車予約注文書が作成された場合、該配車予約注文書がちょうど該月における家から会社への１回目の注文書であると、該配車予約注文書は直接的にキャンセルされる。
【００９６】
以下、例を挙げてこの実施例に係わる方法を説明する。
【００９７】
例１としては、８時に、端末装置はユーザの生活習慣情報に基づきユーザの次のスケジュールが９時に会社に行くことであることを取得する。端末装置はユーザの現在位置及び会社の位置に基づき、ユーザが１時間以内に会社に到達できないことを特定した場合、配車予約注文書を作成し出力し、出発地がユーザの現在の位置であり、目的地が会社である。
【００９８】
例２としては、ユーザは出張して午後１４時の会議に参加する場合、その乗る汽車が駅に到達する予定時間は１３時であるが、客観原因による遅刻が発生したとき、端末装置は１３時にユーザがまだ駅に到達しなく会議に遅刻する可能性があると判定する。端末装置は実際的な状況に応じて配車予約サービスを行い、出発地が駅であり、目的地が会場である。
【００９９】
本発明において、ユーザが配車予約を要すると特定した場合、端末装置は、配車予約注文書を自動的に作成して出力するので、配車予約サービスを即時に実行し、ユーザの外出ストロークに乗り遅れることを回避することができる一方、該過程はユーザの参与を必要としないので、ユーザの操作を少なくするだけでなく、ユーザの時間も省く。
【０１００】
本発明において、ユーザの生活習慣情報及び外出プラン情報のうちの少なくとも一種に基づきユーザの次の目的地を特定し、ユーザの目的地及び時間に基づきユーザが配車予約をして行く必要があるか否かを特定し、過程全体がバックグラウンドで行われ、ユーザの参与を必要としないので、ユーザの操作を少なくし時間を省く。
【０１０１】
本発明において、ユーザの生活習慣と外出プランはローカル側から取得され得るし、ネットワーク側から取得され得、ユーザの必要に応じて様々に選択され得る。同時に、外出プラン情報は具体的にはスケジュール、メモ、及びアラームから取得されることにより、該方案は既存のソフトウェアと互いに組み合わせて、その利用をより便利にすることができる。
【０１０２】
本発明において、出発時間と目的時間との間にユーザが公共交通機関または歩行によって前記目的地に到達できるか否かを判定することによって、ユーザが配車予約を要するか否かを判定するので、判定が容易に実行され得、実際的な状況に合わせ、実用性が高い。
【０１０３】
本発明において、ユーザ現在の位置変化情報に基づき出発地及び出発時間を特定することによって、ユーザが静止するときの出発地を特定できるだけでなく、現在ユーザが汽車、飛行機等に乗っている状況の出発地を特定することもできる。
【０１０４】
本発明において、ユーザの異なる状態（交通機関に乗る状態または未出発の状態）に基づき、ユーザの出発時間を特定し、その特定結果がより確実である。
【０１０５】
本発明において、出発時間と目的時間との間にユーザが公共交通機関または歩行によって前記目的地に到達できるか否かを判定することは、オフライン地図またはネットワーク地図によって容易に実現され得る。
【０１０６】
本発明において、配車予約注文書は出発地、目的地等を含み得、ユーザの入力を回避する。
【０１０７】
本発明において、配車予約注文書は更に出発時間を含み、出発時間を提供することによって端末装置は出発時間に基づき発注時間を選択することができ、ユーザの時間通りの出発を確保できる。
【０１０８】
本発明において、ユーザの生活習慣情報を生成することにより、端末装置が該生活習慣情報に基づきユーザのために直ちに配車予約を行うことを保証できる。
【０１０９】
本発明において、配車予約注文書を出力する場合、ユーザが選択するための、注文書特定オプション、注文書補正オプション、及び注文書キャンセルオプションを含む配車予約注文書オプションを出力することによって、ユーザは注文書の内容に基づき、確認、補正、キャンセルを行うことができ、注文書の正確性を保証できる。
【０１１０】
本発明において、更にユーザの操作習慣情報に基づき配車予約注文書を直接的に処理することができ、ユーザの確認または補正を回避し、注文の正確性を保証した上でユーザの時間を省く。
【０１１１】
図４は例示的な実施例における配車予約装置を示すブロック図である。該配車予約装置は前記端末装置、または、前記端末装置に集積されているものであり得る。図４に示すように、該装置は、
生活習慣情報及び外出プラン情報のうちの少なくとも一種に基づき、ユーザの配車予約の要否を特定するための特定モジュール３１と、
ユーザが配車予約を要すると特定した場合、配車予約注文書を作成して出力するための出力モジュール３２と、を含む。
【０１１２】
本発明において、該装置はユーザが配車予約を要すると特定した場合、配車予約注文書を自動的に作成して出力するので、配車予約サービスを即時に実行し、ユーザの外出ストロークに乗り遅れることを回避することができる一方、該過程はユーザの参与を必要としないので、ユーザの操作を少なくするだけでなく、ユーザの時間も省く。
【０１１３】
図５は例示的な実施例における配車予約装置を示すブロック図である。該配車予約装置は前記端末装置、または、端末装置に集積されるものであり得る。図５に示すように、該装置は、
生活習慣情報及び外出プラン情報のうちの少なくとも一種に基づき、ユーザの配車予約の要否を特定するための特定モジュール４１と、
ユーザが配車予約を要すると特定した場合、配車予約注文書を作成して出力するための出力モジュール４２と、を含む。
【０１１４】
ここで、特定モジュール４１は、
ユーザの、所定周期における同一の時間帯に数回出る場所及び時間を含む生活習慣情報、及び、行く予定の場所及び時間を含む外出プラン情報のうちの少なくとも一種を取得するための取得サブモジュール４１１と、
ユーザの生活習慣情報及び外出プラン情報のうちの少なくとも一種に基づき、生活習慣情報または外出プラン情報に応じるユーザの次の出る場所、及びユーザが次の出る場所に到達する時間を特定し、ユーザが次に出る場所とユーザが次の出る場所に到達する時間をそれぞれ目的地及び目的時間として特定するための第１の特定サブモジュール４１２と、
特定された目的地及び目的時間に基づきユーザの配車予約の要否を特定するための第２の特定サブモジュール４１３と、を含む。
【０１１５】
ここで、所定周期は週、月または年等であり得、所定周期はユーザによりされる周期であってもよいしシステムデフォルトの周期であってもよく、時間長はユーザにより設定される長さであってもよいしシステムデフォルトの長さであってもよく、１時間または半時間以内であり得る。
【０１１６】
具体的には、生活習慣情報と外出プラン情報は本機のデバイス（つまり、前記該装置）またはサーバから取得され得る。
【０１１７】
本実施例の一実施形態において、取得サブモジュール４１１は、
本機のデバイスのメモリまたはサーバからユーザの生活習慣情報を取得し、
本機のデバイスのスケジュール、メモ、及びアラーム、またはサーバからユーザの外出プラン情報を取得するために用いられる。
【０１１８】
例えば、日常生活において自己注意をするためにユーザは普通次の外出プランを上記ソフトウェアに記録し、一般的には、その具体的な内容が場所及び時間、例えば、１０月２０日１１時に会社の会議を含む。
【０１１９】
該実施形態において、ユーザの生活習慣と外出プランはサーバに記憶されることにより、ユーザが異なる端末装置でそれを利用することに役立つことができる。当然のことながら、ユーザの生活習慣と外出プランはローカルに記憶されることにより、該端末装置での利用に役立つこともできる。具体的には、ユーザの外出プランは本機のデバイスのスケジュール、メモ及びアラーム等のソフトウェアに記憶されることにより、該方案を既存のソフトウェアと互いに組み合わせて、その利用をより便利にすることができる。
【０１２０】
更に、取得サブモジュール４１１は上記操作を、周期的に実行できる、或いは、装置が移動したり覚醒されたりするときに実行できる。
【０１２１】
本実施例において、第２の特定サブモジュール４１３は、
出発地及び出発時間を特定し、
出発時間と目的時間との間にユーザが公共交通機関または歩行によって目的地に到達できるか否かを判定し、
出発時間と目的時間との間にユーザが公共交通機関または歩行によって目的地に到達できないと判定した場合、ユーザが配車予約を要すると特定する、ために用いられている。
【０１２２】
出発地が特定された場合、第２の特定サブモジュール４１３は、
ユーザの位置変化情報を検出し、
ユーザの位置変化情報に基づき、未出発状態及び交通機関に乗る状態を含むユーザの状態を特定し、
ユーザが未出発状態にある場合、ユーザが現在いる位置を出発地と特定し、
ユーザが交通機関に乗る状態にある場合、交通機関の終点を出発地として特定する、ために用いられる。
【０１２３】
ここで、ユーザの位置変化情報とはユーザの位置が一定の時間帯に変化するシーン（具体的には、運動軌跡で表される）を指し、例えば、ユーザが１分間以内にずっととても小さい範囲（例えば、幾つかの平方メートル）で運動すると、ユーザが未出発状態にあると判定し、ユーザの所定時間における運動距離が設定値を超えると（例えば、一分間における運動距離が５００メートルを超える）、交通機関に乗る状態にあると判定することができる。
【０１２４】
該実施形態において、ユーザ現在の位置変化情報に基づき出発地及び出発時間を特定することによって、ユーザが静止するときの出発地を特定できるだけでなく、現在ユーザが汽車、飛行機等に乗っているシーンの出発地を特定することもできる。
【０１２５】
更に、出発時間を特定する場合、第２の特定サブモジュール４１３は、
ユーザが現在交通機関に乗る状態にあると、交通機関が終点に到達する時間を出発時間として特定し、
ユーザが未出発状態にあると、現在時間を出発時間として特定する、または、現在時間にユーザの出発に要する時間を加えてなる時間長を出発時間として特定する、ために用いられる。
【０１２６】
例えば、８時に、装置は重力センサによりユーザの起床を検出した（端末装置が長時間覚醒されず、且つ、現在時間が朝である）場合、出発時間＝起床時間８時＋ユーザの出発に要する時間（３０分間）＝８時３０分となる。
【０１２７】
更に例えば、ユーザが午後５時に退勤し、端末装置にはユーザの退勤時間、ユーザの退勤して出発するに要する時間（例えば、１０分間）が記録されている場合、ユーザは外出プランがあると、出発地が会社であり出発時間が５時１０分であると特定する。
【０１２８】
出発時間と目的時間との間にユーザが公共交通機関または歩行によって目的地に到達できるか否かを判定する場合、第２の特定サブモジュール４１３は、
オフライン地図（本機のデバイスに記憶されている）またはネットワーク地図（ネットワークサーバに記憶されている）を利用して公共交通機関または歩行によって目的地に到達する時間長を検索（演算）し、
時間長が出発時間と目的時間との差より大きい場合、出発時間と目的時間との間にユーザが公共交通機関または歩行によって目的地に到達できないと判定するが、そうでなければ、ユーザが公共交通機関または歩行によって目的地に到達できると判定するする、ために用いられる。
【０１２９】
本実施例において、配車予約注文書は出発地と目的地を含む。
【０１３０】
本実施例において、配車予約注文書は更に出発時間を含む。装置は出発時間に基づき、それを繰り上げて発注し、例えば、五分間を繰り上げて発注することができる。
【０１３１】
例えば、ユーザの起床後、該配車予約注文書は直ちに作成され、該配車予約注文書の出発時間が端末装置により算出されたユーザの家を出発する時間である。または、ユーザが汽車に乗っている場合、出発時間は汽車が駅に到達する時間であり得る。
【０１３２】
該実施形態において、出発時間を提供することにより、装置は出発時間に基づき発注時間を選択することができ、ユーザが時間どおりに出発することを保証することができる。
【０１３３】
更に、装置は、
所定場所及びユーザが所定場所に到達する時間を含むユーザの生活習慣情報生成するための生成モジュール４３を含む。
【０１３４】
ここで、所定場所は家、会社、体育館等の場所を含むがこれらに限定されない。
【０１３５】
更に、生成モジュール４３は、
ユーザが所定周期における同一の時間帯に数回出る場所を記録するとともに、座標がＧＰＳセンサにより記録され得る所定場所として記録するための第１の記録サブモジュール４３１と、
ユーザが所定場所に到達する時間を記録するための第２の記録サブモジュール４３２と、を含む。
【０１３６】
上記記載内容は、生成モジュール４３が如何に所定場所及び所定場所に到達する時間を記録するかということを説明しており、具体的には、生成モジュール４３は所定場所の位置及び所定場所に到達する時間を数回記録して平均化してその結果を保存することができる。
【０１３７】
更に、ユーザの生活習慣情報はユーザの起床時間及びユーザの家を出発する時間も含み得る。ユーザの起床時間とユーザの家を出発する時間との間の時間長はユーザの出発に要する時間長であり、該時間長がユーザの身支度や着衣などのために用いられる。
【０１３８】
上記実施形態において、ユーザの生活習慣情報を生成することによって、装置が該生活習慣情報に基づきユーザのために直ちに配車予約を行うことを保証できる。
【０１３９】
ここに、次のことを説明しておく。ユーザの生活習慣情報の生成はユーザのプライバシーに関わるため、該ステップの実行は、予めユーザに知らせユーザの許可を受けてこそ初めて実行され得る。
【０１４０】
本実施例において、出力モジュール４２は、
ユーザが選択するための、注文書特定オプション、注文書補正オプション、及び注文書キャンセルオプションを含む配車予約注文書オプションを出力するために用いられる。
【０１４１】
更に、装置は、
ユーザからの操作選択を取得するための取得モジュール４４と、
ユーザからの操作選択が注文書特定オプションである場合、配車予約注文書を送信し、ユーザからの操作選択が注文書補正オプションである場合、ユーザが注文書補正オプションにより改めて入力した出発地、目的地、または出発時間を受信し、ユーザからの操作選択が注文書キャンセルオプションである場合、配車予約注文書をキャンセルするための処理モジュール４５と、を含む。
【０１４２】
更に、取得モジュール４４は、この前に生成した配車予約注文書に対するユーザの操作に応じて生成した情報であり、注文書を処理する際に規律的に操作するようユーザに提示するための、操作習慣情報を取得するために用いられる。
【０１４３】
処理モジュール４５は、ユーザの操作習慣情報に基づき、配車予約注文書を直接的に処理するために用いられる。
【０１４４】
例えば、ユーザは月毎に遅刻チャンスが２回あるとすれば、月毎に月初の２朝の家から会社への注文書はユーザによりキャンセルされ得、ユーザの上記操作がユーザの操作習慣情報に記憶される。配車予約注文書が作成された場合、該配車予約注文書がちょうど該月における家から会社への１回目の注文書であると、該配車予約注文書は直接的にキャンセルされる。
【０１４５】
本発明において、該装置はユーザが配車予約を要すると特定した場合、配車予約注文書を自動的に作成して出力するので、配車予約サービスを即時に実行し、ユーザの外出ストロークに乗り遅れることを回避することができる一方、該過程はユーザの参与を必要としないので、ユーザの操作を少なくするだけでなく、ユーザの時間も省く。
【０１４６】
上記実施例における装置に関しては、各モジュールが操作を実行する具体的な方式は既に該方法に係わる実施例において詳細に記載されているので、ここに詳しく説明しない。
【０１４７】
図６は例示的な実施例における配車予約装置１２０を示すブロック図である。例えば、装置１２０はモバイル端末（例えば、スマートフォン等）であり得る。
【０１４８】
図６を参照して、装置１２０は、プロセッサアセンブリ１２２、メモリ１２４、電源アセンブリ１２６、マルチメディアアセンブリ１２８、オーディオアセンブリ１３０、入力／出力（Ｉ／Ｏ）インターフェイス１３２、センサアセンブリ１３４、及び通信アセンブリ１３６のような一つ以上のアセンブリを含んでよい。
【０１４９】
プロセッサアセンブリ１２２は、一般的には装置１２０の全体の操作を制御するものであり、例えば、表示、電話呼び出し、データ通信、カメラ操作、及び記録操作と関連する操作を制御する。プロセッサアセンブリ１２２は、一つ以上のプロセッサ１２０を含み、これらによって命令を実行することにより、上記方法の全部、或は一部のステップを実現するようにしてもよい。なお、プロセッサアセンブリ１２２は、一つ以上のモジュールを含み、これらによってプロセッサアセンブリ１２２と他のアセンブリの間のインタラクションを容易にするようにしてもよい。例えば、プロセッサアセンブリ１２２は、マルチメディアモジュールを含み、これらによってマルチメディアアセンブリ１２８とプロセッサアセンブリ１２２の間のインタラクションを容易にするようにしてもよい。
【０１５０】
メモリ１２４は、各種類のデータを記憶することにより装置１２０の操作を支援するように構成される。これらのデータの例は、装置１２０において操作されるいずれのアプリケーションプログラム又は方法の命令、連絡対象データ、電話帳データ、メッセージ、画像、ビデオ等を含む。メモリ１２４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１５１】
電源アセンブリ１２６は、装置１２０の多様なアセンブリに電力を供給する。電源アセンブリ１２６は、電源管理システム、一つ以上の電源、及び装置１２０のための電力の生成、管理及び割り当てに関連する他のアセンブリを含んでもよい。
【０１５２】
マルチメディアアセンブリ１２８は、前記装置１２０とユーザの間に一つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記実施例において、マルチメディアアセンブリ１２８は、一つのフロントカメラ、及び／又はリアーカメラを含む。装置１２０が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１５３】
オーディオアセンブリ１３０は、オーディオ信号をインターフェースするように構成されてもよい。例えば、オーディオアセンブリ１３０は、一つのマイク（ＭＩＣ）を含み、装置１２０、例えば呼出しモード、記録モード、及び音声認識モード等の操作モードにある場合、マイクは外部のオーディオ信号を受信することができる。受信されたオーディオ信号は、さらにメモリ１２４に記憶されたり、通信アセンブリ１３６を介して送信されたりされる。上記実施例において、オーディオアセンブリ１３０は、オーディオ信号を出力するための一つのスピーカーをさらに含む。
【０１５４】
入力／出力（Ｉ／Ｏ）インターフェイス１３２は、プロセッサアセンブリ１２２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１５５】
センサアセンブリ１３４は、装置１２０に各方面の状態に対する評価を提供するための一つ以上のセンサを含む。例えば、センサアセンブリ１３４は、装置１２０のＯＮ／ＯＦＦ状態、装置１２０のディスプレイとキーパッドのようなアセンブリの相対的な位置決めを検出できる。また、例えば、センサアセンブリ１３４は、装置１２０、或は装置１２０の一つのアセンブリの位置変更、ユーザと装置１２０とが接触しているか否か、装置１２０の方位、又は加速／減速、装置１２０の温度の変化を検出できる。センサアセンブリ１３４は、何れの物理的接触がない状態にて付近の物体の存在を検出するための近接センサを含んでもよい。センサアセンブリ１３４は、撮影アプリケーションに適用するため、ＣＭＯＳ、又はＣＣＤ図像センサのような光センサを含んでもよい。上記実施例において、該センサアセンブリ１３４は、加速度センサ、ジャイロスコープセンサ、磁気センサ、圧力センサ、及び温度センサをさらに含んでもよい。
【０１５６】
通信アセンブリ１３６は、装置１２０と他の機器の間に有線、又は無線形態の通信を提供する。装置１２０は、例えばＷｉＦｉ、２Ｇ、３Ｇ、或はこれらの組み合わせのような、通信規格に基づいた无線ネットワークに接続されてもよい。一つの例示的な実施例において、通信アセンブリ１３６は、放送チャンネルを介して外部の放送管理システムからの放送信号、又は放送に関連する情報を受信する。一つの例示的な実施例において、前記通信アセンブリ１３６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１５７】
例示的な実施例において、装置１２０は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１５８】
例示的な実施例において、さらに、命令を含む不揮発的なコンピュータで読み取り可能な記憶媒体、例えば命令を含むメモリ１２４を提供しており、装置１２０のプロセッサ１２２０により上記命令を実行して上記方法を実現する。例えば、前記不揮発的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０１５９】
不揮発的なコンピュータで読み取り可能な記憶媒体であって、前記記憶媒体における命令が装置のプロセッサにより実行される場合、装置は配車予約方法を実行することができ、前記方法は、
生活習慣情報及び外出プラン情報のうちの少なくとも一種に基づき、ユーザの配車予約の要否を特定するステップと、
ユーザが配車予約を要すると特定した場合、配車予約注文書を作成して出力するステップと、を含む。
【０１６０】
本発明の一実施形態によれば、生活習慣情報及び外出プラン情報のうちの少なくとも一種に基づき、ユーザの配車予約の要否を特定するステップは、
ユーザの、生活習慣情報がユーザが所定周期における同一の時間帯に数回出る場所及び時間を含む生活習慣情報、及び、ユーザの行く予定がある場所及び時間を含む外出プラン情報のうちの少なくとも一種を取得するステップと、
ユーザの生活習慣情報及び外出プラン情報のうちの少なくとも一種に基づき、生活習慣情報または外出プラン情報に基づきユーザの次の出る場所、及びユーザが次の出る場所に到達する時間を特定し、ユーザの次の出る場所とユーザが次の出る場所に到達する時間をそれぞれ目的地及び目的時間として特定するステップと、
特定された目的地及び目的時間に基づきユーザの配車予約の要否を特定するステップと、を含む。
【０１６１】
該実施形態において、ユーザの生活習慣と外出プランに基づきユーザが次に行こうとする場所を特定し、ユーザが行こうとする場所及び時間に基づきユーザが配車予約をして行く必要があるか否かを特定し、過程全体がバックグラウンドで行われ、ユーザの参与を必要としない。
【０１６２】
本発明の他の実施形態によれば、ユーザの生活習慣情報及び外出プラン情報のうちの少なくとも一種を取得するステップは、
本機のデバイスのメモリまたはサーバからユーザの生活習慣情報を取得するステップと、
本機のデバイスのスケジュール、メモ及びアラーム、またはサーバからユーザの外出プラン情報を取得するステップと、を含む。
【０１６３】
該実施形態において、ユーザの生活習慣と外出プランはローカル側から取得され得るし、ネットワーク側から取得され得る。同時に、外出プラン情報は具体的にはスケジュール、メモ、及びアラームから取得されることにより、該方案は既存のソフトウェアと互いに組み合わせて、その利用をより便利にすることができる。
【０１６４】
本発明の他の実施形態によれば、特定された目的地及び目的時間に基づきユーザの配車予約の要否を特定するステップは、
出発地及び出発時間を特定するステップと、
出発時間と目的時間との間にユーザが公共交通機関または歩行によって目的地に到達できるか否かを判定するステップと、
出発時間と目的時間との間にユーザが公共交通機関または歩行によって目的地に到達できないと判定した場合、ユーザが配車予約を要すると特定するステップと、を含む。
【０１６５】
本発明の他の実施形態によれば、出発地及び出発時間を特定するステップは、
ユーザの位置変化情報を検出するステップと、
ユーザの位置変化情報に基づき、未出発状態及び交通機関に乗る状態を含むユーザの状態を特定するステップと、
ユーザが未出発状態にある場合、ユーザが現在いる位置を出発地として特定するステップと、
ユーザが交通機関に乗る状態にある場合、交通機関の終点を出発地として特定するステップと、を含む。
【０１６６】
該実施形態において、ユーザ現在の位置変化情報に基づき出発地及び出発時間を特定することによって、ユーザが静止するときの出発地を特定できるだけでなく、現在ユーザが汽車、飛行機等に乗っているシーンの出発地を特定することもできる。
【０１６７】
本発明の他の実施形態によれば、出発地及び出発時間を特定するステップは、
ユーザが現在交通機関に乗る状態にある場合、交通機関が終点に到達する時間を出発時間と特定するステップと、
ユーザが未出発状態にある場合、現在時間を出発時間として特定する、または、現在時間にユーザの出発に要する時間を加えてなる時間を出発時間として特定するステップと、を含む。
【０１６８】
該実施形態において、ユーザの異なる状態に基づき、ユーザの出発時間を特定し、特定結果がより確実である。
【０１６９】
本発明の他の実施形態によれば、出発時間と目的時間との間にユーザが公共交通機関または歩行によって目的地に到達できるか否かを判定するステップは、
オフライン地図またはネットワーク地図にて公共交通機関または歩行によって目的地に到達する時間長を検索するステップと、
時間長が出発時間と目的時間との差より大きい場合、出発時間と目的時間との間にユーザが公共交通機関または歩行によって目的地に到達できないと判定するステップと、を含む。
【０１７０】
本発明の他の実施形態によれば、配車予約注文書は出発地と目的地を含む。
【０１７１】
本発明の他の実施形態によれば、配車予約注文書は更に出発時間を含む。
【０１７２】
該実施形態において、出発時間を提出することにより、端末装置は出発時間に基づき発注時間を選択することができ、ユーザの時間通りの出発を保証することができる。
【０１７３】
本発明の他の実施形態によれば、方法はさらに、
所定場所及びユーザが所定場所に到達する時間を含むユーザの生活習慣情報生成するステップを含む。
【０１７４】
本発明の他の実施形態によれば、ユーザの生活習慣情報を生成するステップは、
ユーザが所定周期における同一の時間帯に数回出る場所を記録（特定）するとともに、所定場所として記録するステップと、
ユーザが所定場所に到達する時間を記録するステップと、を含む。
【０１７５】
上記実施形態において、ユーザの生活習慣情報を生成することによって、端末装置が該生活習慣情報に基づきユーザのために直ちに配車予約を行うことを保証することができる。
【０１７６】
本発明の他の実施形態によれば、配車予約注文書を作成して出力するステップは、
ユーザが選択するための、注文書特定オプション、注文書補正オプション、及び注文書キャンセルオプションを含む配車予約注文書オプションを出力するステップを、含む。
【０１７７】
本発明の他の実施形態によれば、方法は更に、
ユーザからの操作選択を取得するステップと、
ユーザからの操作選択が注文書特定オプションである場合、配車予約注文書を送信し、ユーザからの操作選択が注文書補正オプションである場合、ユーザが注文書補正オプションにより改めて入力した出発地、目的地、または出発時間を受信し、ユーザからの操作選択が注文書キャンセルオプションである場合、配車予約注文書をキャンセルするステップと、を含む。
【０１７８】
本発明の他の実施形態によれば、方法はさらに、
ユーザの、この前に生成した配車予約注文書に対するユーザの操作に応じて生成した情報であり、注文書を処理する際に規律的に操作するようユーザに提示するための、操作習慣情報を取得するステップと、
ユーザの操作習慣情報に基づき、配車予約注文書を直接的に処理するステップと、を含む。
【０１７９】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１８０】
本発明は、上記において開示された構成又は図面に示した構造に限定されるものではなく、本発明の範囲内であれば、様々な補正又は変更を行うことができる。本発明の範囲は、特許請求の範囲により制限される。 
【図１】
0006349467.tif 000002
【図２】
0006349467.tif 000003
【図３】
0006349467.tif 000004
【図４】
0006349467.tif 000005
【図５】
0006349467.tif 000006
【図６】
0006349467.tif 000007